(57)【要約】【課題】  被照明体における照度分布のバランスが取れると共に被照明体を正面から見る人に眩しさを与え難い照明装置及び陳列棚装置を提供する。【解決手段】  本発明の照明装置７は、光源１３と、光源１３の光を受けて反射する反射器１５とを備え、反射器１５は被写体側に位置する一方側反射面２９と、一方側反射面２９に連続すると共に一方側反射面２９に対向する他方側反射面３１とを有し、一方側反射面２９は光源１３から受けた光を略平行光になるように反射し、他方側反射面３１は光源１３から受けた光を反射して遮る。【選択図】      図１
2005141911.tif 000002
【特許請求の範囲】
【請求項１】
光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光源から受けた光を反射して遮ることを特徴とする照明装置。
【請求項２】
光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光源から受けた光を光源に向けて反射することを特徴とする照明装置。
【請求項３】
光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光源から受けた光を略平行光になるように反射することを特徴とする照明装置。
【請求項４】
光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光を拡散及び透過することを特徴とする照明装置。
【請求項５】
請求項１〜４のいずれか一項に記載の照明装置を陳列棚の上方で且つ正面側に設けて陳列棚を照らすことを特徴とする陳列棚装置。
【請求項６】
他方側反射面の下端には光源から棚板の正面側に向かう光を制限する遮光部が設けてあることを特徴とする請求項５に記載の陳列棚装置。
【発明の詳細な説明】
【技術分野】
【０００１】
本発明は、照明装置及び照明装置を備えた陳列棚装置に関するものである。
【背景技術】
【０００２】
特許文献１には、陳列棚の上部正面側に照明装置を設けて、斜め上方から陳列棚を照明することが開示されている。
【０００３】
特許文献２には、冷蔵庫内のキャビネットの照明装置として、光源の光を受けて反射する反射器が開示されており、反射器の反射面に断面が方物線状の反射面と円弧状の反射面とを設けることが開示されている。
【０００４】
【特許文献１】特開２００２−１５３３５９号公報
【特許文献２】特開平１０−４７８４８号公報
【発明の開示】
【発明が解決しようとする課題】
【０００５】
しかし、上述した特許文献１に開示の技術では、陳列棚（被照明体）を陳列棚の正面から見る人に向けて光源（ランプ）の光が照射されてしまい、陳列棚を見る人が眩しくなるという問題がある。
【０００６】
また、特許文献２では、断面が方物線状の反射面で反射された光は下方を照らし、キャビネット内（被照明体）を照らす光の反射面は断面円弧状であるから、被照明体を照らす光は円弧の中心を通って拡散する光となるため照明範囲が限られるので、バランスの取れた照度分布が得られないという問題がある。
【０００７】
そこで本発明は、被照明体における照度分布のバランスが取れると共に被照明体を正面から見る人に眩しさを与え難い照明装置及び陳列棚装置の提供を目的とする。
【課題を解決するための手段】
【０００８】
請求項１に記載の発明は、光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光源から受けた光を反射して遮ることを特徴とする。
【０００９】
請求項２に記載の発明は、光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光源から受けた光を光源に向けて反射することを特徴とする。
【００１０】
請求項３に記載の発明は、光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光源から受けた光を略平行光になるように反射することを特徴とする。
【００１１】
請求項４に記載の発明は、光源と、光源の光を受けて反射する反射器とを備え、反射器は被写体側に位置する一方側反射面と、一方側反射面に連続すると共に一方側反射面に対向する他方側反射面とを有し、一方側反射面は光源から受けた光を略平行光になるように反射し、他方側反射面は光を拡散及び透過することを特徴とする。
【００１２】
請求項５に記載の発明は、請求項１〜４のいずれか一項に記載の照明装置を陳列棚の上方で且つ正面側に設けて陳列棚を照らすことを特徴とする陳列棚装置である。
【００１３】
請求項６に記載の発明は、請求項５項に記載の発明において、他方側反射面の下端には光源から棚板の正面側に向かう光を制限する遮光部が設けてあることを特徴とする。
【発明の効果】
【００１４】
請求項１に記載の発明によれば、被照明体側にある一方側反射面を反射した光は略平行光線となって一方側反射面と他方側反射面との間の開口から、被照明体の前方に照射される。
【００１５】
したがって、一方側反射面の反射光により、被照明体の正面で被照明体から品物等を手元に取って見た場合等に見やすく、しかも被照明体の正面で被照明体を見ている人の眩しさを低減できる。
【００１６】
また、光源から被照明体の正面側に向かう光（被照明体を正面から見ている人側に向かう光）は他方側反射板により遮られるので、このことにおいても被照明体の正面で被照明体を見ている人の眩しさを低減できる。
【００１７】
更に、発明の照明装置によれば、実験の結果、被照明体の上下方向に亘ってバランスの良い照度分布を得ることができた。
【００１８】
請求項２に記載の発明では、請求項１に記載の発明と同様に、被照明体の前方を照明する略平行光により被照明体から品物等を手元にとって見た場合等に見やすく、しかも被照明体の正面で被照明体を見ている人の眩しさを低減できる。
【００１９】
他方側反射面では、光源から受けた光を光源に向けて反射しているので、他方側反射面からの散乱光を防止でき、被照明体の正面で被照明体を見ている人の眩しさを低減できると共に照明分布のバランスが良くなって被照明体が見やすくなっている。
【００２０】
請求項３に記載の発明では、請求項１に記載の発明と同様の効果を奏すると共に、他方側反射面も受けた光を略平行光として反射するので、光源からの光を被照明体側に向けて略平行光でスポット照射でき、所定の部位を他部よりも明るく照らすことができる。したがって、被照明体を照らす光の強弱を付けることができ、照明による意匠効果に優れる。
【００２１】
請求項４に記載の発明では、請求項１に記載の発明と同様の効果を奏すると共に、他方側反射面は受けた光を拡散及び透過するので、被照明体の正面で被照明体を見ている人の眩しさを低減できると共に被照明体が見やすく、並びに標示灯の役目を果たす。
【００２２】
請求項５に記載の発明では、陳列棚の照明において請求項１〜４のいずれ一項に記載の効果を得ることができる。
【００２３】
請求項６に記載の発明では、請求項５に記載の効果を奏するとともに、陳列棚の前方斜め上方から照明装置で陳列棚を照明する場合に、陳列棚の前方に向かう光を、他方側反射面の下端に設けた遮光部が制限するので、陳列棚を見る人の眩しさを低減できる。
【発明を実施するための最良の形態】
【００２４】
以下に、本発明の実施の形態を添付図面を参照して詳細に説明する。図１は図２に示す照明装置の反射器と光源とを抜き出して示す横断面図であり、図２は第１実施の形態にかかる陳列装置の側面図であり、図３は図２に照明装置の分解斜視図であり、図４は照度分布の実験装置の図であり、（ａ）は縦断面図、（ｂ）は正面図であり、図５〜図１０は鉛直面照度分布の実験結果を示す図であり、図１１は水平面照度分布の実験結果を示す図であり、図１２は配光曲線図である。
【００２５】
第１実施の形態に係る陳列棚装置１は、陳列棚３と、陳列棚３の支柱５に固定したアーム６とを備え、アーム６の先端に照明装置７が取り付けられている。照明装置７は、アーム６に取り付けた照明具９と、アーム５と照明具７とを連結する連結具１０とからなり、照明具９により陳列棚３の各棚１１を正面から照らしている。棚１１は、支柱３の上下方向に複数段に設置されている。
【００２６】
照明具７は、電源ランプ（光源）１３と、反射器１５と、電源ランプ１３の安定器１７と、前面カバー１９と、反射器１５の両端にそれぞれ設けられた側面カバー２１とを備えている。電源ランプ１３は本実施の形態では蛍光灯である。
【００２７】
電源ランプ１３の両端は保持端子２３、２３により保持されており、保持端子２３、２３は配線２５を介して安定器１７に接続されている。安定器１７は、反射器１５の裏面にねじ止めされている。前面カバー１９は断面が略円弧形状であり、正面から見たときに滑らかな曲線状を成している。この前面カバー１９の上下端が反射器１５に嵌合されて、端面側から側面カバー２１と共にねじ固定されている。
【００２８】
反射器１５は一方側反射面２９と、他方側反射面３１とを有しており、一方側反射面２９は陳列棚３（被照明体）側に位置し、他方側反射面３１は一方側反射面２９に連続すると共に一方側反射面２９に対向しており、正面側に位置している。尚、反射器１５はアルミニウム合金製である。
【００２９】
一方側反射面２９の基部２９ａは横断面が方物線状であり、方物線の焦点Ｆに電源ランプの中心が位置している。方物線の中心線Ｓは本実施の形態では鉛直方向にあり、方物線の中心線Ｓと一方側反射面２９との交点Ｇから一方側反射面２９の一方側端２９ｂまでが方物線状の基部２９ａである。
【００３０】
尚、一方側反射面２９の交点Ｇから一方側反射面２９と他方側反射面３１とのコーナＥまでの横断面は水平方向の直線部３４となっている。
【００３１】
他方側反射面３１は鉛直方向の平面であり、他方側反射面３１の下端３１ａには遮光部３２が設けてあり、本実施の形態では遮光部３２は前面カバー１９の下端から突設した突部である。この遮光部３２は、電源ランプ１３の接線Ｔ１位置まで延出しており、光源の直接光を遮断しないようにしている。尚、電源ランプ１３の接線Ｔ２と他方側反射面３１とは角度ａを形成しており、角度ａは本実施の形態では１８．９８度である。
【００３２】
次に、本実施の形態にかかる陳列棚装置１の作用及び効果を説明する。電源ランプ１３から放射された光のうち一方側反射面２９に向かう光Ｌ１は方物線の中心線Ｓと略平行な反射光となって陳列棚３の正面を鉛直方向に向かう。一方、他方側反射面３１に向かう光Ｌ２は水平面を反射して陳列棚３に向けて斜め下方に向かう。したがって、一方側反射面２９の略平行な反射光により、陳列棚３の商品（被照明体）を手元にとって見た場合等に見やすく、しかも陳列棚３の正面で商品を見ている人の眩しさを低減できる。
【００３３】
特に、一方側反射面２９の反射光は略平行光であり、光の収束や拡散が少ないので陳列棚の正面側を上方から下方に向かう光で照射できる。
【００３４】
他方側反射面３１の反射光Ｌ２と光源ランプからの光Ｌ３とで陳列棚を斜め上方から照明しており、陳列棚３の上下方向に亘ってバランスの良い照度分布を得ることができる。また、陳列棚３の正面で陳列棚を見ている人（お客）に向かう光を低減しているので、陳列棚３を見ている客の眩しさを低減できる。
【００３５】
特に、電源ランプ１３から陳列棚３の正面側に向かう光Ｌ４は、他方側反射面３１の下端部３１ａに設けた遮光部３２が制限しているので、陳列棚３の正面にいる人が眩しく感じることは少ない。
【００３６】
次に、陳列棚３と電源ランプ１３との水平方向の間隔（以下、「水平方向距離」という）や反射器１５の角度と、陳列棚における照度分布の関係について実験をしたので、その実験について説明する。図４（ａ）に示すように、照明装置７の壁面から水平方向距離をＤとし、仰角θとし、照明装置７を床からの高さＨに配置し、床からの高さｈ１の位置を照明具９が向く仰角をθとした。そして、水平方向距離Ｄと、仰角θを変えた場合に、図４（ｂ）に示す各測定点Ｋでの照度（ルクス）を測定した。尚、光源ランプ１３は点灯後１００時間後の全光束は５０００ｌｍ（ルーメン）であり、測定点Ｋは上下左右に距離１５０ｍｍづつの距離を置いた箇所であって左右方向に７箇所、上下方向に１５箇所合計１０５箇所で測定した。また、各実験ではＨは２４００ｍｍ、ｈ１は４５０ｍｍとし、照明具９の長さＷは９００ｍｍであり、蛍光灯（光源）の長さｗ１は８５０ｍｍであり、照明具９は長手方向に対称形状である。測定した時の環境は、室温２５℃で暗室とし床や壁等ができるだけ光らないように、例えば黒いカーテンで覆った。
【００３７】
その結果を図５〜図１２に示す。尚、図５〜図９は照明具９を一つ（図４（ｂ）の中央の照明具９のみ）とした場合の鉛直面照度分布であり、図１０は照明具９を横に３本連続して並べた場合の鉛直面照度分布を示している。また、図５に示す実験１は水平方向距離Ｄが１００ｍｍで仰角θが２．９８、図６に示す実験２は水平方向距離Ｄが２００ｍｍで仰角θが５．８６、図７に示す実験３は水平方向距離Ｄが３００ｍｍで仰角θが８．７５、図８に示す実験４は水平方向距離Ｄが４００ｍｍで仰角θが１１．５９、図９に示す実験５は水平方向距離Ｄが５００ｍｍで仰角θが１４．３８、図１０に示す実験６は水平方向距離Ｄが３００ｍｍで仰角θが８．７５である。図１１に示す水平面照度分布及び図１２に示す配光曲線図は、一つの照明具９で且つ間口の中央で測定した分布を示したものである。
【００３８】
水平方向距離Ｄが大きい程照度が均一になるが、水平方向距離Ｄを大きくすると陳列棚装置１の意匠が不自然になるのでできるだけ水平方向距離Ｄを小さくすることが望まれている。これに対して、本実施の形態では、光源ランプ１３の光を略平行光として陳列棚を照らしているので、図５〜図９から明らかなように、水平方向距離Ｄを小さくしても、上下方向に亘って照度部分が極端に変化することも無く照度分布のバランスが良く且つ下方でも所定の照度を得ることができた。
【００３９】
尚、水平方向距離Ｄが１００ｍｍで仰角θが２．９８より小さい場合には、上方では極めて明るいが下方には光が届き難く、照度分布の変化が上下方向で激しく且つ下方では充分な照度を得ることができなかった。
【００４０】
また、図１０の実験６では照明具９を左右に３連しているので、陳列棚３の左右方向では略均一な照度を得ることができ、しかも上下方向に亘ってバランスの良い照度分布を得ることができたと共に下部においても充分な照度を得ることができた。
【００４１】
更に、図１１の水平面照度分布及び図１２の配光曲線図から明らかなように、本実施の形態では、陳列棚を照らす照度を広い範囲に亘って明るくできる一方、陳列棚の正面側（陳列棚を見ている人の側）の照度を抑えることができた。
【００４２】
次に、本発明の他の実施形態について説明するが、以下の説明では上述した実施の形態と同一の作用効果を奏する部分には、同一の符合を付することによりその部分の詳細な説明を省略し、以下の説明では上述した実施の形態と主に異なる点について説明する。
【００４３】
図１３に示す第２実施の形態では、他方側反射面３１には円弧部４１と多数の凸部４３とが形成してあり、円弧部４１は凸部４３の間に位置しており、且つ凸部４３の一面４５は光源の放射光と略平行であり他面４７は光源の放射光と直交している。また、円弧部４１は水平方向における電源ランプ１３と略同位置に設けてあり且つ略同一の寸法に設けてある。
【００４４】
この第２実施の形態によれば、上述した第１実施の形態と同様に一方側反射面２９は横断面が放物線状であるから、陳列棚３の正面側を鉛直方向に照らす光Ｌ１により被照明体を手元にとって見た場合等に見やすく、しかも陳列棚３の正面で陳列棚３を見ている人の眩しさを低減できる。
【００４５】
他方側反射面３１では、円弧状部４１の焦点に電源ランプ１３が設けあり、円弧状部４１の焦点と方物線の焦点Ｆとが同じ位置にある。したがって、円弧状部４１では、電源ランプ１３の光Ｌ４を電源ランプ１３に向けて反射し、凸部４１でも電源ランプ１３からの光Ｌ４を電源ランプ１３に向けて反射するので、他方側反射面３１からの散乱光を低減でき、陳列棚３の照度分布のバランスを高めることができる。
【００４６】
図１４に示す第３実施の形態では、一方側反射面２９は横断面が方物線状であるから請求項１に記載の発明と同様の効果を奏すると共に、他方側反射面３１の横断面も方物線状になっているので、電源ランプ１３からの光を陳列棚３に向けて略平行光Ｌ２でスポット的に照射できる。したがって、陳列棚３の上下方向における所定の部位を他部よりも明るく照らすことができ、陳列棚３を照らす光の強弱を付けた照度バランスの調整が任意にできる。
【００４７】
本発明は、上述した実施の形態に限らず、本発明の要旨を逸脱しない範囲で種々変形可能である。
【００４８】
図１５に示すように、反射器１５は一方側反射面２９と他方側反射面３１とを連続する一つの方物線状としたものであってもよい。
【００４９】
図１６に示すように他方側反射面３１に乳白色の樹脂材（例えば、アクリル板）を設け且つ梨地処理をして光を拡散するようにしてもよい。尚、図１６に示す実施の形態では、安定器１７は一方側反射面の側に設けている。
【００５０】
図１７に示すように、照明具９を縦長に設けて陳列棚３を照らすものであってよい。
【００５１】
照明装置７は、陳列棚３に取り付けることに限らず、天井や壁に取り付けるものであってもよいし、被照明体は、陳列棚又は陳列棚の商品に限らず、その他の展示物であってもよい。
【００５２】
光源は、蛍光灯に限らず、電球等の他の光源であってもよい。
【図面の簡単な説明】
【００５３】
【図１】図２に示す照明装置の反射器と光源とを抜き出して示す横断面図である。
【図２】第１実施の形態にかかる陳列装置の側面図である。
【図３】図２に照明装置の分解斜視図である。
【図４】照度分布の実験装置の図であり、（ａ）は縦断面図、（ｂ）は正面図である。
【図５】照度分布の実験結果を示す図である。
【図６】照度分布の実験結果を示す図である。
【図７】照度分布の実験結果を示す図である。
【図８】照度分布の実験結果を示す図である。
【図９】照度分布の実験結果を示す図である。
【図１０】鉛直面照度分布の実験結果を示す図である。
【図１１】水平面照度分布の実験結果を示す図である。
【図１２】配光曲線図である。
【図１３】第２実施の形態にかかる照明装置の反射器と光源とを抜き出して示す横断面図である。
【図１４】第３実施の形態にかかる照明装置の反射器と光源とを抜き出して示す横断面図である。
【図１５】その他の実施の形態にかかる照明装置の反射器と光源とを抜き出して示す横断面図である。
【図１６】その他の実施の形態にかかる照明装置の反射器と光源とを抜き出して示す横断面図である。
【図１７】その他の実施の形態にかかる陳列棚装置の斜視図である。
【符号の説明】
【００５４】
１      陳列棚装置
３      陳列棚（被照明体）
７      照明装置
９      照明具
１３    電源ランプ（光源）
１５    反射器
２９    一方側反射面
２９ａ  基部
３１    他方側反射面
３２    遮光部
Ｆ      放物線の焦点
Ｓ      方物線の中心線
Ｌ１、Ｌ２、Ｌ３、Ｌ４    光線
【図１】
2005141911.tif 000003
【図２】
2005141911.tif 000004
【図３】
2005141911.tif 000005
【図４】
2005141911.tif 000006
【図５】
2005141911.tif 000007
【図６】
2005141911.tif 000008
【図７】
2005141911.tif 000009
【図８】
2005141911.tif 000010
【図９】
2005141911.tif 000011
【図１０】
2005141911.tif 000012
【図１１】
2005141911.tif 000013
【図１２】
2005141911.tif 000014
【図１３】
2005141911.tif 000015
【図１４】
2005141911.tif 000016
【図１５】
2005141911.tif 000017
【図１６】
2005141911.tif 000018
【図１７】
2005141911.tif 000019